(57)【要約】      （修正有）【課題】魚釣用リールに関し、サミング操作による幅広い制動力の調節を容易にした魚釣用リールを提供する。【解決手段】リール本体３１に回転自在に支持されたスプール４７の一側部にサミング操作部を設けた魚釣用リールに於て、当該サミング操作部を、少なくともスプールのフランジの外側面からなる第１のサミング操作部７５と、第１のサミング操作部と異なる形態で当該サミング操作部の径方向内方に形成された第２のサミング操作部７７とで構成したことを特徴とする。また、第１のサミング操作部と第２のサミング操作部の少なくとも何れか一方に、複数の凹凸部７８が形成され、第２のサミング操作部は、径方向内方に向けて縮径する傾斜面８５とされていることを特徴とする。【選択図】図１
2006197868.tif 000002
【特許請求の範囲】
【請求項１】
リール本体に回転自在に支持されたスプールの一側部にサミング操作部を設けた魚釣用リールに於て、
上記サミング操作部を、少なくともスプールのフランジの外側面からなる第１のサミング操作部と、第１のサミング操作部と異なる形態で当該サミング操作部の径方向内方に形成された第２のサミング操作部とで構成したことを特徴とする魚釣用リール。
【請求項２】
第１のサミング操作部と第２のサミング操作部の少なくとも何れか一方に、複数の凹凸部が形成されていることを特徴とする請求項１に記載の魚釣用リール。
【請求項３】
第２のサミング操作部は、径方向内方に向けて縮径する傾斜面とされていることを特徴とする請求項１または請求項２に記載の魚釣用リール。
【発明の詳細な説明】
【技術分野】
【０００１】
本発明は魚釣用リールに係り、詳しくはリール本体の支軸に回転自在に支持したスプールの一側部にサミング操作部が形成された片軸受型リールに関する。
【背景技術】
【０００２】
特許文献１に開示されるように、今日、フライリールやチヌリールとして広く知られている片軸受型リールには、釣糸の繰出しで回転するスプールの回転に適度な制動力を付与して魚との適切な対応が行えるように、外部に露出するスプールの一側部にサミング操作部を形成し、釣竿とリール本体を保持した手の指をサミング操作部に当ててスプールに摩擦抵抗を生じさせることで、スプール回転を制動するようにしたものが広く知られている。
【０００３】
図３及び図４は特許文献１に開示された片軸受型リールの一実施形態を示し、この片軸受型リール１は、リール本体３の側板５に突設した支軸（スプール軸）７にスプール９を回転自在且つ着脱自在に装着すると共に、スプール９の反側板５側のフランジ１１の外側面に、リール本体３側へと傾斜する一定幅のサミング操作部１３を外縁近傍に亘って形成したもので、図４に示すようにサミング操作部１３には、片軸受型リール１の製品名に相当する文字Ｗを刻設して凹凸１５が形成されている。
【０００４】
また、図５は特許文献１に開示された片軸受型リールの他の実施形態を示し、この片軸受型リール１７は、リール本体１９の支軸に支持したスプール２１のフランジ２３の外側面に、摩擦抵抗の大きな素材でサミング操作部２５を外縁近傍に亘って設けたもので、釣竿とリール本体３，１９を保持した手の指先腹部をこれらのサミング操作部１３，２５に押し当てることで、スプール９，２１の回転に制動力を付与することができるようになっている。
【特許文献１】特開２００２−２１８８７６号公報
【発明の開示】
【発明が解決しようとする課題】
【０００５】
しかし乍ら、上述した片軸受型リール１，１７を始め、従来、この種の片軸受型リールは、指先腹部を押し当てるサミング操作部が単一の一面構成で指の接触面積が狭いこともあって、回転するスプールに強い制動力を容易に付与することができず、強い制動力を付与するためには指の押圧力を増さなければならない等、釣竿とリール本体を保持した状態での幅広い制動力の調節が容易に行えない課題が残されていた。
【０００６】
本発明は斯かる実情に鑑み案出されたもので、サミング操作による幅広い制動力の調節を容易にした魚釣用リールを提供することを目的とする。
【課題を解決するための手段】
【０００７】
斯かる目的を達成するため、請求項１に係る発明は、リール本体に回転自在に支持されたスプールの一側部にサミング操作部を設けた魚釣用リールに於て、当該サミング操作部を、少なくともスプールのフランジの外側面からなる第１のサミング操作部と、第１のサミング操作部と異なる形態で当該サミング操作部の径方向内方に形成された第２のサミング操作部とで構成したことを特徴とする。
【０００８】
そして、請求項２に係る発明は、請求項１に記載の魚釣用リールに於て、第１のサミング操作部と第２のサミング操作部の少なくとも何れか一方に、複数の凹凸部が形成されていることを特徴とし、請求項３に係る発明は、請求項１または請求項２に記載の魚釣用リールに於て、第２のサミング操作部は、径方向内方に向けて縮径する傾斜面とされていることを特徴とする。
【発明の効果】
【０００９】
請求項１に係る発明によれば、釣竿とリール本体を保持した手の指で、スプールの一側部に形成された第１，第２のサミング操作部の何れかを選択してサミングしたり、第１，第２のサミング操作部を同時にサミングすることができるので、従来に比し幅広い制動力の調節が容易に行えると共に、指との接触面積が増えるため、強い制動力を容易に得られる利点を有する。
【００１０】
そして、請求項２に係る発明によれば、サミング操作部に複数の凹凸部を設けることで、更に指との接触面積が増えて強い制動力を得ることができるため、サミング操作がし易くなると共に、サミング操作部への押圧力の微調整が容易となって、更に幅広い制動力の調節を行うことができる利点を有する。
更に、請求項３に係る発明によれば、釣竿とリール本体を保持した手の無理のない自然な指の位置でサミング操作ができる利点を有する。
【発明を実施するための最良の形態】
【００１１】
以下、本発明の実施形態を図面に基づいて詳細に説明する。
図１及び図２は請求項１乃至請求項３に係る片軸受型リール（チヌリール）の一実施形態を示し、図中、３１は一端側が開口するように略円筒状に形成されたリール本体で、その中心軸に沿ってリール本体３１の側板３３に支軸（スプール軸）３５が突設され、当該支軸３５にスプール３７が軸受（図示せず）を介して回転可能に支持されている。
【００１２】
スプール３７は、円筒状に形成された釣糸巻回胴部３９とその両側部４１，４３側に形成されたフランジ４５，４７とで構成されている。そして、図２に示すようにスプール３７の反側板３３側、即ち、フランジ４５が外部に露出するその一側部４１の中央に、周知の着脱機構（図示せず）の押しボタン４９が装着されており、当該押しボタン４９を内方へ押圧操作すると、着脱機構により支軸３５の先端側に刻設された係止部５１とスプール３７側との係止状態が解除されて、スプール３７が支軸３５から取り外せるようになっている。
【００１３】
また、図１中、５３は支軸３１に回転可能且つその軸方向へ摺動可能に嵌合されたピニオンで、その一端側に、スプール３７側に設けたクラッチ係合部５５に係脱可能なクラッチ係合突起５７が形成されており、これらは後述するクラッチ機構７１を構成している。そして、ピニオン５３にドライブギヤ５９が噛合しており、ドライブギヤ５９は、側板３５に回転自在に支持したハンドル６１のハンドル軸６３に固着されている。
【００１４】
そして、前記クラッチ係合部５５にクラッチ係合突起５７がクラッチ係合した状態（クラッチＯＮ）でハンドル６１を巻取り操作すると、その動力がハンドル軸６３，ドライブギヤ５９，ピニオン５３，クラッチ係合部５５からスプール３７に伝達されて、スプール３７が釣糸巻取り方向へ回転するようになっている。
更に、リール本体３１には、クラッチレバー６５や、ピニオン５３の外周に設けた係止溝６７に係止するクラッチプレート６９等からなる周知のクラッチ機構７１が装着されており、クラッチレバー６５の操作でピニオン５３をクラッチプレート６９で移動させてクラッチ係合部５５とクラッチ係合突起５７とのクラッチ係合を解除すると、クラッチ機構７１がクラッチＯＦＦとなってスプール３７がスプールフリー状態となり、また、このスプールフリー状態でハンドル５１を巻取り方向へ操作すると、図示しない復帰機構でクラッチ係合突起５７がクラッチ係合部５７にクラッチ係合して、クラッチ機構７１がクラッチＯＮに復帰するように構成されている。
【００１５】
そして、本実施形態に係る片軸受型リール７３も、釣糸の繰出しで回転するスプール３７の回転に制動力を付与して魚との適切な対応を可能とするため、外部に露出するスプール３７の一側部４１側にサミング操作部が設けられているが、サミング操作による幅広い制動力の調節を容易にするため、本実施形態は、サミング操作部を、前記フランジ４５の外側面からなる第１のサミング操作部７５と、当該サミング操作部７５と異なる形態でその径方向内方に形成された第２のサミング操作部７７とで構成したことを特徴とする。
【００１６】
即ち、図１及び図２に示すようにフランジ４５全体は、釣糸巻回胴部３９に向かって内方へ傾斜した形状とされ、フランジ４５の外周縁には凹部７９と凸部８１が交互に滑らかに連続して形成されている。そして、本実施形態は、各凸部８１に対応させてこのフランジ部４５に正面視円形状の透孔８３を周方向へ等間隔に設けることで、フランジ４５の外側面を第１のサミング操作部７５としている。
【００１７】
そして、第１のサミング操作部７５の内側に位置するスプール３７の一側部４１は、径方向内方に向けて外方へ突出するテーパ状の傾斜面８５とされて、その中心に前記押しボタン４９が装着されているが、本実施形態は、当該傾斜面８５に平面視長円形状で、前記透孔８３よりも小さな凹部（ディンプル）８７を周方向へ放射状に設けることで、この傾斜面８５を、第１のサミング操作部７５と傾斜角を異にし、摩擦係数を異にする第２のサミング操作部７７としたことを特徴としており、第２のサミング操作部７７は第１のサミング操作部７５に比し摩擦抵抗が小さく、スプール３７に弱い制動力を付与するように設定されている。
【００１８】
その他、図中、８９は、リール本体３１の外周に固着された竿取付部で、当該竿取付部８９を介して釣竿９１に片軸受型リール７３が取り付くようになっている。また、図中、９３はスプール３７を挟んで竿取付部８９と反対側のリール本体３１の外周にネジ止めされた一片の断面円弧状の保護プレートで、当該保護プレート９３によってスプール３７の保護が図られている。
【００１９】
本実施形態はこのように構成されているから、軸受を介してスプール３７が支軸３５に回転可能に支持され、クラッチＯＮの状態でハンドル６１を巻取り方向へ操作すると、既述したようにその動力がスプール３７に伝達されて、スプール３７が巻取り方向へ回転し、また、クラッチ機構７１をクラッチＯＦＦに切り換えれば、スプール３７がスプールフリー状態となり、更に着脱機構の押しボタン４９を内方へ押圧操作すれば、支軸３５の係止部５１とスプール３７側との係止状態が解除されて、スプール３７が支軸３５から取り外せることとなる。
【００２０】
そして、クラッチＯＮ状態（公知の図示しない逆転防止機構がＯＦＦで、スプール３７がフリー回転可能状態）での魚のアタリ待ち時または魚との対応（スプール逆回転操作）をし乍らの釣糸の巻取り操作時に、図１の如く釣竿９１とリール本体３１（片軸受型リール７３）を保持した手の指先腹部Ｆを同時に第１，第２のサミング操作部７５，７７に押し当てたり、第１または第２のサミング操作部７５，７７の一方に指先腹部Ｆを押し当てることで、スプール３７の回転に制動力が付与されるが、既述したように第１のサミング操作部７５と第２のサミング操作部７７は夫々形態を異に形成されて、第２のサミング操作部７７は第１のサミング操作部７５に比し摩擦抵抗が小さく設定されているから、指先腹部Ｆを同時に第１，第２のサミング操作部７５，７７に押し当てることで、スプール３７に大きな制動力（制動力 大）が付与される。そして、第１のサミング操作部７５に指先腹部Ｆを押し当てれば、スプール３７に中程度の制動力（制動力 中）が付与され、第２のサミング操作部７７に指先腹部Ｆを押し当てれば、スプール３７に弱い制動力（制動力 小）が付与される等、サミング操作部７５，７７を変えることで幅広い制動力の調節が行われる。
【００２１】
このように本実施形態によれば、釣竿９１とリール本体３１を保持した手の指で、第１または第２のサミング操作部７５，７７の何れかを選択してサミングしたり、第１，第２のサミング操作部７５，７７を同時にサミングすることができるので、従来に比し幅広い制動力の調節が容易に行えると共に、第１，第２のサミング操作部７５，７７をスプール３７の一側部４１に設けたことで指との接触面積が増えるため、サミング操作がし易くなって強い制動力が容易に得られる利点を有する。
【００２２】
また、第１，第２のサミング操作部７５，７７に透孔８３や凹部８７を設けることで更に指との接触面積が増えるため、サミング操作がし易くなると共に、サミング操作部７５，７７への押圧力の微調整が容易となって、更に幅広い制動力の調節を行うことができる利点を有する。
そして、本実施形態によれば、第２のサミング操作部７７を径方向内方に向けて外方へ突出するテーパ状の傾斜面８５としているため、釣竿９１とリール本体３１を保持した手の無理のない自然な指の位置でサミング操作ができる利点を有する。
【００２３】
また、フランジ４５の外周縁に形成した凹部７９と凸部８１を、第１，第２のサミング操作部７５，７７に併せてサミング操作部として使用してもよい。
尚、第１のサミング操作部７５や第２のサミング操作部７７の構成は上記実施形態に限定されるものではなく、例えば図５のサミング操作部２５の構成を用いたり、透孔８３や凹部（ディンプル）８７の形状，数等を変更したり、また、第２のサミング操作部７７の傾斜面８５にアールを付ける等、魚釣用リールの仕様に応じこれらの形態は適宜変更可能である。
【００２４】
そして、上記実施形態は、本発明をチヌリールに適用したものであるが、図３の如きフライリールに用いることも可能で、本発明をフライリールに適用しても、上記実施形態と同様、所期の目的を達成することが可能である。
【図面の簡単な説明】
【００２５】
【図１】請求項１乃至請求項３の一実施形態に係る片軸受型リールの正面図である。
【図２】図１に示す片軸受型リールの側面図である。
【図３】従来の片軸受型リールの断面図である。
【図４】図３に示す片軸受型リールの要部側面図である。
【図５】従来の他の片軸受型リールの側面図である。
【符号の説明】
【００２６】
３１  リール本体
３３  側板
３５  支軸
３７  スプール
３９  釣糸巻回胴部
４１  一側部
４５，４７  フランジ
７１  クラッチ機構
７３  片軸受型リール
７５  第１のサミング操作部
７７  第２のサミング操作部
８３  透孔
８５  傾斜面
８７  凹部
８９  竿取付部
９１  釣竿
【図１】
2006197868.tif 000003
【図２】
2006197868.tif 000004
【図３】
2006197868.tif 000005
【図４】
2006197868.tif 000006
【図５】
2006197868.tif 000007